(57)【要約】      （修正有）【課題】マラソンなど長時間を要するアウトドアスポーツにおいて、発汗による蒸れを抑えつつ、気象条件の変化にも対応して装着し続けることができるスポーツ向けポンチョを提供する。【解決手段】樹脂で構成された着衣１（ポンチョ）において、一定の防水、防寒対策をとりながらも、スポーツによる発汗で蒸れが生じないように、表面と裏面ではそれぞれ径の形状および大きさが異なる多数の通気孔２を設置した。また、シンプルな構造のポンチョ本体とは別に、同様の通気孔を持つ帽子、アームウオーマー、レッグウオーマーを付与し、ポンチョを補完する。【選択図】図１
0003196165.tif 000002
【実用新案登録請求の範囲】
【請求項１】
体の少なくとも一部に着用される、柔軟性を備えた樹脂により構成された着衣で、その表面から裏面にかけて複数の通気孔が形成され、該通気孔の表面と裏面とではその径の大きさが異なることを特長とする蒸れ防止用着衣。
【請求項２】
前記請求項1記載の通気孔は、その断面がテーパー状に形成されていることを特長とする請求項1記載の蒸れ防止用着衣。
【請求項３】
前記着衣は、首が挿通される襟ぐりと、腕が挿通される袖口とを備えたポンチョであることを特長とする請求項1又は請求項2記載の蒸れ防止用着衣。
【請求項４】
前記着衣は、頭に装着する帽子であることを特長とする、請求項1又は請求項2のいずれか1項に記載の蒸れ防止用着衣。
【請求項５】
前記着衣は、腕に装着するアームウオーマーであることを特長とする請求項1又は請求項2のいずれか1項に記載の蒸れ防止用着衣。
【請求項６】
前記着衣は、足に装着するレッグウオーマーであることを特長とする、請求項1又は請求項2のいずれか1項に記載の蒸れ防止用着衣。
【請求項７】
前記着衣には、反射板が設けられていることを特長とする、請求項1ないし請求項6の少なくともいずれか1項に記載の蒸れ防止用着衣。
【請求項８】
前記着衣には、蜂の襲来を忌避する白色系や黄色系の色素材を使用することを特長とした、請求項1ないし請求項6の少なくともいずれか1項に記載の蒸れ防止用着衣。
【考案の詳細な説明】
【技術分野】
【０００１】
スポーツをする際に着用する、通気性を持つポンチョに関するものである。
【背景技術】
【０００２】
従来型のポンチョは、防寒および風雨を遮断する目的で作られたものである。
頭から被り、膝上部分までの体全体を被覆するものと、帽子が無く、首から被覆するものなどがある。
【０００３】
ポンチョに通気孔を形成するとしたら、図7に示す通気孔が考えられる。しかし、図が示すように通気孔は、表裏一定の大きさとなる。
【考案の概要】
【考案が解決しようとする課題】
【０００４】
一般にポンチョは、長時間に及ぶ運動時の装着を前提としている訳ではない。
仮にマラソンのように激しい運動で装着し続けると、発汗によりポンチョの内側に蒸れが生じる。また、着衣が湿ることで自発的な温度調整が出来にくくなる。加えて、天候の変化により、度々、ポンチョの着脱を繰り返す必要に迫られる。
【０００５】
本考案は、マラソン、ジョギング、登山、サッカーなどのアウトドアスポーツにおいて、長時間の運動を続けながらも、発汗による蒸れを抑えつつ、気象条件の変化にも対応して装着し続けることができるポンチョを課題とする。
【課題を解決するための手段】
【０００６】
本考案におけるポンチョ本体は、頭部から被り、両腕を挿通して胴体だけを覆うシンプルな構造とする。降雨、降雪、強風などの悪天候の中、防水および防寒対策をしながらも、激しい運動による発汗でポンチョ内に蒸れが生じないようにする該着衣は、多数の通気孔により形成され、該通気孔の表面と裏面とでは、それぞれ径の大きさが異なることを特長とする。
【０００７】
また、本考案に示す着衣は樹脂素材で構成されるため、表裏で径の大きさが異なる通気孔は、断面から見るとテーパー状となる。
【０００８】
たとえば、雨や雪の浸入をできるだけ避けたい場合には、通気孔の表面積が小さい面を外側に向けてポンチョを被覆する。また、ポンチョを着衣したまま、体に風を受けたい場合には、通気孔の表面積の大きい面を外側に向けて被覆する。
このように、本考案におけるポンチョは、その時々の気象条件により表裏、使い分けることができる。
【０００９】
次に、本考案におけるポンチョとは、運動時の装着を前提に、頭部から被り、両腕を挿通して胴体を覆う着衣である。
【００１０】
本考案では段落番号0009に示すポンチョ以外に、帽子を備えることを特長とする。
帽子はポンチョと同様の該通気孔を持つことより、表裏を使い分けることができる。
【００１１】
また、本考案におけるポンチョは、腕を覆うアームウオーマーを備えることを特長とする。この着衣も本体と同様の該通気孔を持つことより、表裏を使い分けることができる。
【００１２】
また、本考案におけるポンチョは、両足を覆うレッグウオーマーを備えることを特長とする。この着衣も本体と同様の該通気孔を持つことより、表裏を使い分けることができる。
【００１３】
次に、本考案におけるポンチョは、車の運転手に対し着用者の存在を示せるようにするため、反射板を設けることを特長とする。これにより、悪天候や視界不良時に起きやすい交通事故の危険を回避する。
【００１４】
また、本考案におけるポンチョは、アウトドアスポーツにおいて、特に注意が必要となる蜂の襲来を避けるために白色系又は黄色系の色素材を使用することを特長とする。
【考案の効果】
【００１５】
ポンチョ全体に設けた通気孔により、常にポンチョ内の蒸れを抑制できる。
また、表裏で異なる通気孔を持つため、気象条件により表裏を入れ替えて着衣することで、更なる体調管理が可能となる。
【００１６】
このように蒸れを抑える該着衣は、過酷なスポーツにありがちな温度変化による体力の消耗を緩和し、天候の変化による低体温症など、生命にもかかわるリスクを低減できる。
【００１７】
また、マラソンなどの運動量の激しい競技では、装着による不快感が募れば、競技者が一斉に廃棄を求める場面が想定される。
しかし、無理なく長時間装着し続けることが可能なポンチョであれば、廃棄場所の心配をすることなく、競技に集中できる。
【００１８】
本考案におけるポンチョは、主に上半身から腰まで被覆する本体部分のほかに、頭部、腕用(アームウオーマー)、足用(レッグウオーマー)にも、同様の蒸れ防止用着衣を備える。そのため、使用者は条件に応じて対策ができる利点を得られる。
【図面の簡単な説明】
【００１９】
【図１】本考案に係る、蒸れ防止用着衣の第一実施例、ポンチョ本体を示す図である。表面と裏面を別々に示す。
【図２】図1に示すポンチョにおけるA-A´の断面図である。
【図３】本考案に係る蒸れ防止用着衣における通気孔の製造方法を示す図である。
【図４】本考案に係る蒸れ防止用着衣の第二実施例、帽子を示す図である。
【図５】本考案に係る蒸れ防止用着衣の第三実施例、アームウオーマーを示す図である。
【図６】本考案に係る蒸れ防止用着衣の第四実施例、レッグウオーマーを示す図である。
【図７】従来技術にある通気孔の製造方法を示す図である。
【考案を実施するための最良の形態】
【００２０】
以下、図示の実施例に基づき、本考案について詳述する。
図1は本考案に係るポンチョ本体1の表面と裏面である。
ポンチョ本体1は、頭から被り、両袖を透通して着衣できるように袖口3と襟刳り4が形成される。
本考案に示すポンチョ本体1はスポーツ向け着衣であるため、着脱を短時間でおこなえるように、
出来る限りシンプルな構造とする。また、ポンチョ本体1の全体に通気孔2を設ける。
【００２１】
通気孔2の直径は0.6ｍｍ以下が望ましい。また、直径0.6ｍｍであれば1平方メートルあたり1.000個以上の通気孔2を設置する。尚、通気孔2の径は、降雨であればポンチョ内部に浸入する水滴の量に影響を与える。
【００２２】
図2は、図1に示すポンチョ本体1の断面図（Ａ-Ａ´ ）である。
この図で示す通気孔2は、ポンチョ本体1の内側Ｂ から見ると凹状、一方、ポンチョ本体1の外側Ｃから見ると凸状をしており、断面はテーパー状に形成される。
【００２３】
次に、図3は図1、図2で示す通気孔2の製造方法を現す。この通気孔2は、ポンチョ本体1が
成形される以前に形成され、一方の面（表面）と他方の面（裏面）では形状が異なるところを特長とする。
【００２４】
始めに先の尖った針6を8ｂの位置から8aの方向に、つまりポンチョ本体1に向け垂直に突き刺す。
その針6に押し出されるように裂けたポンチョ本体1の先端9a-9ｂは、針6の進む方向に沿うように移動する。
【００２５】
次に、針6を、8aから8ｂの方向に、つまりポンチョ本体1から完全に引き抜くと、9a-9bの位置にあったシートは針の動く方向10a-10bの位置まで移動、その針の抜けた場所に通気孔2が現れる。
この通気孔2は断面から見るとテーパー状をしており、Ｃから見ると凸状、一方、Ｂから見ると凹状と、それぞれ対象を成す。また、通気孔2の径を比較すると、Ｂの面の方がＣの面よりも大きくなる。
【００２６】
図7は従来技術である。
図3と同様に柔軟性を備えた樹脂性シート23を用いて、先が凹状の針20を使用した場合である。
凹状の針20を、22ｂの位置から22aの方向、つまり樹脂性シート23に向け垂直に突き刺すと、裂けた樹脂性シート23の先端23a-23ｂは針と接触した状態で、かつ突き刺す前と同じ位置にある。
次に22aから22ｂの方向に針を樹脂性シート23から完全に引き抜くと、23a-23bの間に通気孔21が現れる。
その通気孔21は、J、Kのいずれの面から見ても凹凸など、形状に違いが見られず、径の大きさも同じである。また、通気孔21を断面から見ると、図3で示す通気孔2とは異なり、テーパー状にならない。
【００２７】
次に、ポンチョ本体1に使用する樹脂性シートは、柔軟性と焼却後の環境を考慮するとポリエチレンが望ましい。また、ゼッケンを使用するなど、ポンチョ本体1を外側から視認しやすくするには、樹脂性シートを製造する段階で防曇剤を入れるとよい。ほか、生分解性物質を樹脂原料としてもよいが、いずれも特定するものではない。
【００２８】
また、図1で示す胸（Ｘ領域）と肩（Ｙ領域）の部分と背中（Ｚ領域）は、スポーツ時では特にポンチョと体が接触しやすい箇所であるため、通気孔2の単位面積あたりの数量を増やすとよい。
【００２９】
次に図4に示すのは帽子である。これもポンチョ本体1と同様、本考案の示す通気孔2により構成される。素材は段落番号0027で示すポンチョ本体1と同様のものが望ましい。尚、風雨の浸入を防ぐため、ゴムなどの伸縮性素材により頭部を包むとよい。
【００３０】
次に図5で示すのはアームウオーマーである。これもポンチョ本体1と同様、本考案の示す通気孔2により構成される。素材は段落番号0027で示すポンチョ本体1と同様のものが望ましい。半袖シャツ、あるいはランニングシャツ使用時に、露出した腕に透通させて使用する。尚、アームウオーマー内に風雨を入りにくくするには、アームウオーマーの両端にはゴムなどの伸縮性素材を用いるとよい。
【００３１】
次に図6で示すのはレッグウオーマーである。これもポンチョ本体1と同様、本考案の示す通気孔2により構成される。素材は段落番号0027で示すポンチョ本体1と同様のものが望ましい。半ズボン使用時に、露出した足に透通させて使用する。尚、レッグウオーマー内に風雨を入りにくくするには、レッグウオーマーの両端にはゴムなどの伸縮性素材を用いるとよい。
【実施例】
【００３２】
次に図1に示す本考案の実施例について詳述する。
表裏対称の形状、および大きさの通気孔2を有するポンチョ本体1は、構造上の特長から、風雨の強弱により表裏を使い分けると快適な使用環境を実現する。
【００３３】
図2は、図1で示すA―A´の断面図であるが、通気孔2のサイズはBの面が、Cの面よりも大きくなる。これは段落番号0025で詳述したとおりである。
【００３４】
たとえば、出来る限り風雨の侵入を避けたい場合には、図2に示すとおり、通気孔2の面積が小さいCの面を外側に向ける。すると、一定の通気性を保ちつつも風雨は入りにくくなる。
逆に、風を受けやすくしたい場合であれば、ポンチョを裏返し、通気孔2が大きいB面を外側に向けるとよい。特にポンチョ内の蒸れを解消したい場合に有効である。
【００３５】
このように、気象や体内の温度変化に応じてポンチョの表裏を使い分けることで、不快感を伴わず、長時間、ポンチョを装着することが可能となる。
【００３６】
これらはマラソンなど、長時間を要するアウトドアスポーツにおいて、天候の変化に対してコンディションを維持する有効な実施例となる。
【００３７】
次に、ポンチョ本体1のほかに、体の各部位に応じた着衣として図4に示す帽子、図5で示すアームウオーマー、図6で示すレッグウオーマーの3つを実施例として示す。
いずれもスポーツ時におけるポンチョ本体1を補う役割を担う。
【符号の説明】
【００３８】
1      ポンチョ本体
2      通気孔
3      そで口
4      えりぐり
6.  先の尖った針
7.  樹脂製シート
20  凹状の針  
23  樹脂製シート
【図１】
0003196165.tif 000003
【図２】
0003196165.tif 000004
【図３】
0003196165.tif 000005
【図４】
0003196165.tif 000006
【図５】
0003196165.tif 000007
【図６】
0003196165.tif 000008
【図７】
0003196165.tif 000009